(57)【要約】【課題】ストッパー全体の径を大きくすることなく、その耐荷重を多くして効果的に抜け防止を可能にするボードフックを提供すること。【解決手段】ピン本体４とピン本体４の先端部に連設されたストッパー５とを有するピン部２と、ピン部２の基端部に連設したフック部３と、を具備し、ストッパー５は、ピン本体４よりも径の大きいストッパー部５０１と、ストッパー部５０１における反フック部側に連設された、徐々に径を小さくしたストッパー本体５０２と、ストッパー本体５０２の先端側に形成された鋭角状の突入部５０３とを備えたボードフックにおいて、ストッパー５とフック部３の間に、ピン本体４の外周側に突設したストッパー部６０１と、ストッパー部６０１における反フック部側に連設された、外径を徐々に小さくした第２のストッパー本体６０３を備えた第２のストッパー６を形成した。【選択図】図１
0003116495.tif 000002
【実用新案登録請求の範囲】
【請求項１】
ピン本体（４）と該ピン本体（４）の先端部に連設されたストッパー（５）とを有するピン部（２）と、該ピン部（２）の基端部に連設した、挿通孔（３０２）を有するフック部（３）と、を具備し、前記ストッパー（５）は、前記ピン本体（４）よりも径の大きいストッパー部（５０１）と、該ストッパー部（５０１）における反フック部側に連設された、テーパー状に径を徐々に小さくしたストッパー本体（５０２）と、該ストッパー本体（５０２）の先端側に形成された鋭角状とした突入部（５０３）と、を備えたボードフックにおいて、
前記ストッパー（５）とフック部（３）の間に、前記ピン本体（４）の外周側に突設した第２のストッパー部（６０１）と、該第２のストッパー部（６０１）における反フック部側に連設された、外径を徐々に小さくした第２のストッパー本体（６０３）と、を備えた第２のストッパー（６）を形成したことを特徴とするボードフック。
【請求項２】
前記ピン部（２）、フック部（３）及び第２のストッパー部（６）を樹脂により一体形成したことを特徴とする請求項１に記載のボードフック。
【考案の詳細な説明】
【技術分野】
【０００１】
本考案はボードフックに係り、より詳しくは、抜け防止用のストッパーを複数個備えたことを特徴とするボードフックに関する。
【背景技術】
【０００２】
従来から、各種展示会場や店舗内等で、展示、販売している商品の広告等を吊すことが行われており、このとき、これらの商品広告等を吊す方法としては、発泡スチロールボードにこれらの商品広告等を貼着等し、その後に、この商品広告等を貼着等した発泡スチロールボードを、ボードフックを用いて天井等から吊す方法が多用されている。
【０００３】
ここで、発泡スチロールボードを吊す際に従来から用いられているボードフックについて説明すると、図５は、従来のボードフックの正面図であり、図において３１が従来のボードフックである。そして、この従来から用いられているボードフック３１は、発泡スチロールボードの側面からボード内に挿入されるピン部３４を有しており、このピン部３４の基端部には、紐、チェーン等が挿通される挿通孔３５０１を有するフック部３５が連設されている。
【０００４】
また、前記ピン部３４は、略円柱状のピン本体３２と、このピン本体３２の先端側に連設されたストッパー３３から構成されている。
【０００５】
このストッパー３３について説明すると、一般的にボードフックに備えられているストッパー３３は、前記ピン本体３２よりも径の大きいストッパー部３３０１を有しており、このストッパー部３３０１における反フック部側には、徐々に径が小さくなるようにテーパー状にされたストッパー本体３３０２が連設されている。そして、これにより、ストッパー本体３３０２の先端部を鋭角状にし、この鋭角状とした部分を、発泡スチロールボードに差し込む突入部３３０３としており、即ち、ストッパー部３３は、全体として略矢尻状とされている。
【０００６】
そして、このようなボードフック３１を用いて発泡スチロールボードを吊す場合には、発泡スチロールボードの側面、あるいは裏面等にボードフック３１のピン３４を、突入部３３０３から差し込むとともに、フック部３５の挿通孔３５０１に紐、チェーン等を通し、この状態で紐、チェーン等を天井等から吊るす。
【０００７】
そうすると、商品広告等を貼着等した発泡スチロールボードを天井等から吊ることができるとともに、ピン部３４の先端部には略矢尻状としたストッパー３３が形成されているため、ボードフック３１が発泡スチロールボードから抜けることが防止可能となる。
【考案の開示】
【考案が解決しようとする課題】
【０００８】
しかしながら、前述のような従来のボードフックでは、発泡スチロールボードが大きくなりその重量が増すと、発泡スチロールボードを支えきれなくなり、これにより発泡スチロールボードからボードフックが抜け出てしまい発泡スチロールボードが落下してしまうおそれが十分に考えられる。
【０００９】
このとき、ストッパーにおけるストッパー部３３０１の外径を大きくすることによりボードフックの耐荷重を増加させることも可能だが、ストッパー部の外径を大きくした場合には、例えば発泡スチロールボードが薄い場合にはストッパー部により発泡スチロールボードを壊してしまうおそれも考えられる。
【００１０】
そこで、本考案は、ストッパー全体の径を大きくすることなく、その耐荷重を多くして効果的に抜け防止を可能にするボードフックを提供することを課題としている。
【課題を解決するための手段】
【００１１】
本考案のボードフックでは、ピン本体と該ピン本体の先端部に連設されたストッパーとを有するピン部と、該ピン部の基端部に連設した、挿通孔を有するフック部と、を具備し、前記ストッパーは、前記ピン本体よりも径の大きいストッパー部と、該ストッパー部における反フック部側に連設された、テーパー状に径を徐々に小さくしたストッパー本体と、該ストッパー本体の先端側に形成された鋭角状とした突入部と、を備えたボードフックにおいて、
前記ストッパーとフック部の間に、前記ピン本体の外周側に突設した第２のストッパー部と、該第２のストッパー部における反フック部側に連設された、外径を徐々に小さくした第２のストッパー本体と、を備えた第２のストッパーを形成したことを特徴としている。
【考案の効果】
【００１２】
本考案のボードフックでは、従来から用いられているボードフックにおいて、先端部のストッパーと基端部のフック部間に更に第２のストッパーを形成したことを特徴としており、先端部のストッパーと第２のストッパーの二つのストッパーにより発泡スチロールボードを支えることを可能にしている。
【００１３】
そのために、本考案のボードフックでは、ストッパー全体の径を大きくすることなく、その耐荷重を多くして効果的に抜け防止を可能にすることができる。
【考案を実施するための最良の形態】
【００１４】
本考案のボードフックでは、発泡スチロールボードに差し込まれるピン部を備えており、このピン部の基端側には、紐、チェーン等が挿通する挿通孔を有するフック部が連設されている。
【００１５】
また、前記ピン部は、ピン本体とこのピン本体の先端部に連設されたストッパーとを有しており、ストッパーは、ピン本体よりも径の大きいストッパー部と、このストッパー部における反フック部側に連設された本体部とを備えている。そして、本体部は、テーパー状に径を徐々に小さくしていくことにより先端部を鋭角状にし、この鋭角状にした先端部が突入部とされている。
【００１６】
そして、本考案のボードフックでは、前記ストッパーとフック部との間に第２のストッパーを備えており、この第２のストッパーは、前記ピン本体の外周側に突設した第２のストッパー部と、この第２のストッパー部における反フック部側に連設された本体部とを備えるとともに、本体部は、テーパー状にその外径を徐々に小さくして形成されている。
【００１７】
ここで、前記ピン部、フック部及び第２のストッパー部を樹脂により一体形成するとよく、これにより製造コストを抑えることが可能となる。
【実施例１】
【００１８】
本考案のボードフックの実施例について図面を参照して説明すると、図１は、本実施例のボードフックの正面図であり、また、図２は本実施例のボードフックの平面図、図３は図１におけるＡ−Ａ線断面図、図４は本実施例のボードフックの縦断正面であり、図において１が本実施例のボードフックである。
【００１９】
そして、本実施例のボードフックでは、発泡スチロールボード内に差し込まれるピン部を有しており、このピン部の基端側には、ボードフックを吊すためのフック部が連設され、全体をＡＢＳ樹脂により一体成形している。
【００２０】
即ち、図において２がピン部であり、本実施例においてこのピン部２は、略円柱状としたピン本体４と、このピン本体４の先端側に形成した、発泡スチロールボードに差し込んだボードフックが発泡スチロールボードより抜け出ることを防止するためのストッパー５とを備えている。
【００２１】
ここで、前記ストッパー５について説明すると、図において５がストッパーであり、本実施例において前記ストッパー５は、前記ピン本体４の径よりも大きい径としたストッパー部５０１を有しており、このストッパー部５０１における反フック部側には、その径をテーパー状に徐々に小さくしていき先端部を鋭角状としたストッパー本体５０２が連設されている。そして、このストッパー本体５０２における鋭角状とした先端部を突入部５０３とし、これにより、本実施例のボードフック１を発泡スチロールボードに差し込んでいく際には、この突入部５０３より差し込むことにより、容易に差し込むことを可能としている。
【００２２】
次に、前記フック部３について説明すると、本実施例において前記フック部３は、前記ピン部２の基端側に連設される当接部３０１を有しており、この当接部３０１は、平面視野において、矩形状にするとともに左右側を半円形とした平板状とし、ボードフック１が差し込まれる発泡スチロールボードの面に対して略平行になるような配置としている。即ち、当接部３０１の面に対して、略垂直方向にピン部２が連設している。
【００２３】
次に、前記当接部３０１の上方にはフック本体３０３が連設されており、このフック本体３０３には、紐、チェーン等が挿通可能な挿通孔３０２が形成されている。なお、本実施例において前記フック本体３０３は、図２からも明らかなように、指等で摘み易いように、前記当接部３０１の面に直交した面を有する平板状としている。
【００２４】
次に、図において６は、第２のストッパーである。即ち、本実施例のボードフック１では、前記ストッパー２とフック部３の間におけるピン本体４の長手方向に向いた略中間部分近傍の外周側に、第２のストッパー６を周設している。
【００２５】
ここで、前記第２のストッパー６について説明すると、本実施例において前記第２のストッパー６は、ピン本体４の外周側に突設した第２のストッパー部６０１を有するとともに、この第２のストッパー部６０１における反フック部側には第２のストッパー本体６０２をしており、この第２のストッパー本体６０２は、ピン本体４の先端側に行くに従いその径を徐々に小さくしていき、先端部においては前記ピン本体４とほぼ同一の径としている。
【００２６】
なお、本実施例において前記第２のストッパー６は、図１、及び図３にも示されているように、ピン本体４の外周側に等間隔を置いて配列した複数のストッパー片６０３により構成しており、また、前記ピン本体４の先端に備えたストッパー５もまた、ピン本体４の外周側に等間隔を置いて配列した複数のストッパー片５０４により構成されているが、必ずしもこのように構成する必要は無く、ピン本体４の外周側に突設したストッパー部５０１，第２のストッパー部６０１を有するとともに、このストッパー部５０１，第２のストッパー部６０１における反フック部側に、その径を徐々に小さくしたストッパー本体５０２、第２のストッパー本体６０２を有していればよい。
【００２７】
次に、本実施例のボードフック１の作用について説明すると、本実施例のボードフック１を使用するときは、主に、発泡スチロールボードの側面に突入部５０３を突き刺し、そのまま、当接部３０１の面が発泡スチロールボードの側面に当接するまでボードフック１を押し込んでいく。
【００２８】
そうすると、前記ストッパー５及び第２のストッパー６もまた発泡スチロールボード内に挿入されるとともに、これらのストッパー５、６におけるストッパー本体５０２、６０２は、先端側に向けて徐々に径を小さくしているため、発泡スチロールボード内への挿入には支障がない一方、ボードフックを抜こうとするとストッパー部５０１、６０１が障害となり容易に抜くことができない。
【００２９】
そしてこのとき、本実施例のボードフック１では、先端部に備えたストッパー２とフック部３の間におけるピン本体４の長手方向に向いた略中間部分近傍の外周側に第２のストッパー６を周設しているため、先端部にのみストッパーを備えた従来のボードフックと比較し、耐荷重を大きくすることができ、これにより、ストッパーの径を大きくすることなく、重量のある発泡スチロールボードを吊すことが可能となる。
【産業上の利用可能性】
【００３０】
本考案のボードフックは、抜け防止用のストッパーを２カ所に形成しており、これによりストッパーを大きくすること無く耐荷重を大きくすることができるために、発泡スチロールボードを吊すためのボードフック全般に適用可能である。
【図面の簡単な説明】
【００３１】
【図１】本考案のボードフックの実施例の正面図である。
【図２】本考案のボードフックの実施例の平面図である。
【図３】図１におけるＡ−Ａ線断面図である。
【図４】本考案のボードフックの実施例の縦断正面図である。
【図５】従来のボードフックの正面図である。
【符号の説明】
【００３２】
１    ボードフック
２    ピン部
３    フック部
３０１    当接部
３０２    フック本体
３０３    挿通孔
４    ピン本体
５    ストッパー
５０１    ストッパー部
５０２    ストッパー本体
５０３    突入部
５０４    ストッパー片
６    第２のストッパー
６０１    第２のストッパー部
６０２    第２のストッパー本体
６０３    ストッパー片
【図１】
0003116495.tif 000003
【図２】
0003116495.tif 000004
【図３】
0003116495.tif 000005
【図４】
0003116495.tif 000006
【図５】
0003116495.tif 000007